(57)【要約】【課題】複数の搬送経路を有する折機において、折丁を複数枚重ねた場合にも複数の搬送経路に折丁を排紙しつつ、折丁を受け渡しする際に高い受け渡し精度が要求される箇所を低減すること。【解決手段】減速胴５に第１折丁クランプ装置２０Ａ及び第２折丁クランプ装置２０Ｂを備える。第１折丁クランプ装置２０Ａ及び第２折丁クランプ装置２０Ｂは、第１カム２４Ｘによって、第１の排紙経路の位置及び第２の排紙経路の位置で、保持している折丁を開放する。また、第２カム２４Ｙは、折丁の重ね数が２枚になったときには、第１の排紙経路の位置で、第２折丁クランプ装置２０Ｂが保持している折丁を開放させないように、第１カム２４の機能の一部を無効にする。【選択図】        図３−１
2008120489.tif 000002
【特許請求の範囲】
【請求項１】
印刷されて所定の寸法に裁断された後に所定形状に折られた折丁を受け取り、前記折丁を第１の排紙経路又は第２の排紙経路へ振り分けて排紙する折丁振り分け手段と、
前記折丁振り分け手段に取り付けられ、所定の受取位置で前記折丁を受け取り、前記第１の排紙経路まで前記折丁を保持する第１の折丁保持手段と、
前記折丁振り分け手段に取り付けられ、所定の受取位置で前記折丁を受け取り、前記第１の排紙経路又は前記第２の排紙経路のいずれか一方まで前記折丁を保持する第２の折丁保持手段と、
前記第１の折丁保持手段及び前記第２の折丁保持手段を、前記第１の排紙経路の位置で開放する第１の折丁開放部と、少なくとも前記第２の折丁保持手段を前記第２の排紙経路の位置で開放する第２の折丁開放部とを有し、前記折丁の重ね数に応じて前記第２の折丁保持手段に対する前記第１の折丁開放部の開放機能を停止する折丁振り分け先切替手段と、
を含むことを特徴とする折丁搬送経路切替構造。
【請求項２】
前記折丁振り分け先切替手段は、
前記第１の折丁保持手段及び前記第２の折丁保持手段を、前記第１の排紙経路の位置及び第２の排紙経路の位置で開放するように動作部が形成される第１カムと、
前記第１の排紙経路の位置で、前記第２の折丁保持手段が前記折丁を保持した状態を維持するように形成される第２カムと、
を含んで構成されることを特徴とする請求項１に記載の折丁搬送経路切替構造。
【請求項３】
前記折丁振り分け先切替手段は、
前記折丁の重ね枚数が１枚の場合には、前記第２の折丁保持手段に対する前記第１の折丁開放部の開放機能を有効にし、
前記折丁の重ね枚数が複数枚の場合には、前記第２の折丁保持手段に対する前記第１の折丁開放部の開放機能を停止することを特徴とする請求項１又は２に記載の折丁搬送経路切替構造。
【請求項４】
前記第１の折丁保持手段及び前記第２の折丁保持手段から開放された前記折丁を前記第１の排紙経路へ導く第１の排出モードと、前記第１の折丁保持手段から開放された前記折丁を、前記第１の排紙経路へ導き、かつ、前記第２の折丁保持手段から開放された前記折丁を前記第２の排紙経路へ導く第２の排出モードとを切替可能な折丁振り分けガイドを備え、
前記折丁の重ね数に応じて前記第１の排出モードと前記第２の排出モードとを切り替えることを特徴とする請求項１〜３のいずれか１項に記載の折丁搬送経路切替構造。
【請求項５】
前記第１の折丁保持手段及び前記第２の折丁保持手段から開放された前記折丁を、前記第１の排紙経路へ導くように前記折丁振り分けガイドを動作させる動作部が形成される第１の回転カムと、
前記第２の折丁保持手段が前記折丁を保持したまま前記第１の排紙経路の位置を通過するときには、前記第２の折丁保持手段に保持された前記折丁を前記第２の排紙経路へ導くように、前記折丁振り分けガイドを動作させる第２の回転カムと、
を有することを特徴とする請求項４に記載の折丁搬送経路切替構造。
【請求項６】
前記折丁を前記第１の排紙経路に導くように前記折丁振り分けガイドを動作させる動作部と、前記折丁を前記第２の排紙経路に導くように前記折丁振り分けガイドを動作させる動作部とが形成された回転カムを備え、
前記折丁の重ね数に応じて、前記回転カムの回転数を変更することを特徴とする請求項４に記載の折丁搬送経路切替構造。
【請求項７】
前記折丁の重ね枚数が１枚の場合には、前記第１の排出モードとし、
前記折丁の重ね枚数が複数枚の場合には、前記第２の排出モードとすることを特徴とする請求項４〜６のいずれか１項に記載の折丁搬送経路切替構造。
【請求項８】
印刷され、所定の寸法に切断された折丁を所定の寸法に折る折り胴と、
前記折り胴から前記折丁を受け取るくわえ胴と、
請求項１〜７のいずれか１項に記載の折丁搬送経路切替構造と、を備え、
前記折丁搬送経路切替構造により、前記くわえ胴からの前記折丁を、前記第１の排紙経路又は前記第２の排紙経路へ振り分けることを特徴とする折機。
【発明の詳細な説明】
【技術分野】
【０００１】
本発明は、印刷後のシートを折る折機等における折丁搬送経路切替構造及び折機に関する。
【背景技術】
【０００２】
輪転印刷機のように連続紙に印刷する印刷機では、印刷後の連続紙を所定の寸法に裁断し、これを所定の寸法に折る折機を備える。例えば、特許文献１には、このような折機に適用されるシート状物の搬送経路切替装置が開示されている。このシート状物の搬送経路切替装置は、折胴から受け渡された折丁（裁断した紙を折ったもの）を保持するくわえ胴と、このくわえ胴から前記折丁を受け渡される第１及び第２の搬送胴と、前記折丁を重ねた場合には、折胴とくわえ胴との対接位置で、くわえ保持手段を動作させたり、させなかったりする切替手段とを備えている。このシート状物の搬送経路切替装置では、第１及び第２の搬送胴は減速胴であって、折丁の搬送経路に配置される最後の胴となっている。
【０００３】
【特許文献１】特開２００２−６０１２８号公報  段落番号００１２、図１
【発明の開示】
【発明が解決しようとする課題】
【０００４】
特許文献１に開示されている技術では、第１及び第２の搬送胴から二つの搬送経路へ折丁を排紙することができる。特許文献１に開示されている技術では、二つの搬送経路へ交互に折った折丁を排紙することができる。しかし、折丁を複数枚重ねた場合は、一方の搬送経路にしか折丁を排紙することができない。
【０００５】
減速胴の周速はくわえ胴の周速よりも低いため、くわえ胴から減速胴への折丁の受け渡しは不安定になりやすい。このため、くわえ胴から減速胴へ確実に折丁を受け渡すためには、高い受け渡し精度が要求され、高精度の調整が要求される。特許文献１に開示されている技術では、くわえ胴から折丁を受け取る減速胴が、搬送経路の数だけ必要になるので、前記調整が煩雑となる。また、減速胴は高価であるため、特許文献１に開示されている技術では、折機のコスト増加を招く。
【０００６】
そこで、この発明は、上記に鑑みてなされたものであって、複数の搬送経路を有する折機において、折丁を複数枚重ねた場合にも複数の搬送経路に折丁を排紙しつつ、折丁を受け渡しする際に高い受け渡し精度が要求される箇所を低減できる折丁搬送経路切替構造及び折機を提供することを目的とする。
【課題を解決するための手段】
【０００７】
上述した課題を解決し、目的を達成するために、本発明は、印刷されて所定の寸法に裁断された後に所定形状に折られた折丁を受け取り、前記折丁を第１の排紙経路又は第２の排紙経路へ振り分けて排紙する折丁振り分け手段と、前記折丁振り分け手段に取り付けられ、所定の受取位置で前記折丁を受け取り、前記第１の排紙経路まで前記折丁を保持する第１の折丁保持手段と、前記折丁振り分け手段に取り付けられ、所定の受取位置で前記折丁を受け取り、前記第１の排紙経路又は前記第２の排紙経路のいずれか一方まで前記折丁を保持する第２の折丁保持手段と、前記第１の折丁保持手段及び前記第２の折丁保持手段を、前記第１の排紙経路の位置で開放する第１の折丁開放部と、少なくとも前記第２の折丁保持手段を前記第２の排紙経路の位置で開放する第２の折丁開放部とを有し、前記折丁の重ね数に応じて前記第２の折丁保持手段に対する前記第１の折丁開放部の開放機能を停止する折丁振り分け先切替手段と、を含むことを特徴とする。
【０００８】
この折丁搬送経路切替構造は、折丁振り分け手段である減速胴に第１の折丁保持手段及び第２の折丁保持手段を備える。そして、第１の折丁保持手段及び第２の折丁保持手段を、第１の排紙経路の位置で開放する第１の折丁開放部と、少なくとも第２の折丁保持手段を第２の排紙経路の位置で開放する第２の折丁開放部とを有し、折丁の重ね数に応じて第２の折丁保持手段に対する第１の折丁開放部の開放機能を停止させる。これによって、折丁振り分け手段である減速胴は単一で済むので、折丁を受け渡しする際に高い受け渡し精度が要求される箇所を低減できる。同時に、複数の搬送経路を有する折機において、折丁を複数枚重ねた場合にも複数の搬送経路に折丁を排紙することができる。
【０００９】
また、次の本発明に係る折丁搬送経路切替構造のように、前記折丁振り分け先切替手段は、前記第１の折丁保持手段及び前記第２の折丁保持手段を、前記第１の排紙経路の位置及び第２の排紙経路の位置で開放するように動作部が形成される第１カムと、前記第１の排紙経路の位置で、前記第２の折丁保持手段が前記折丁を保持した状態を維持するように形成される第２カムと、を含んで構成することが好ましい。
【００１０】
また、次の本発明に係る折丁搬送経路切替構造のように、前記折丁振り分け先切替手段は、前記折丁の重ね枚数が１枚の場合には、前記第２の折丁保持手段に対する前記第１の折丁開放部の開放機能を有効にし、前記折丁の重ね枚数が複数枚の場合には、前記第２の折丁保持手段に対する前記第１の折丁開放部の開放機能を停止するように構成することが好ましい。
【００１１】
また、次の本発明に係る折丁搬送経路切替構造のように、前記第１の折丁保持手段及び前記第２の折丁保持手段から開放された前記折丁を前記第１の排紙経路へ導く第１の排出モードと、前記第１の折丁保持手段から開放された前記折丁を、前記第１の排紙経路へ導き、かつ、前記第２の折丁保持手段から開放された前記折丁を前記第２の排紙経路へ導く第２の排出モードとを切替可能な折丁振り分けガイドを備え、前記折丁の重ね数に応じて前記第１の排出モードと前記第２の排出モードとを切り替えるようにすることが好ましい。
【００１２】
また、次の本発明に係る折丁搬送経路切替構造のように、前記第１の折丁保持手段及び前記第２の折丁保持手段から開放された前記折丁を、前記第１の排紙経路へ導くように前記折丁振り分けガイドを動作させる動作部が形成される第１の回転カムと、前記第２の折丁保持手段が前記折丁を保持したまま前記第１の排紙経路の位置を通過するときには、前記第２の折丁保持手段に保持された前記折丁を前記第２の排紙経路へ導くように、前記折丁振り分けガイドを動作させる第２の回転カムと、を有するようにしてもよい。
【００１３】
また、次の本発明に係る折丁搬送経路切替構造のように、前記折丁を前記第１の排紙経路に導くように前記折丁振り分けガイドを動作させる動作部と、前記折丁を前記第２の排紙経路に導くように前記折丁振り分けガイドを動作させる動作部とが形成された回転カムを備え、前記折丁の重ね数に応じて、前記回転カムの回転数を変更するように構成してもよい。
【００１４】
また、次の本発明に係る折丁搬送経路切替構造のように、前記折丁の重ね枚数が１枚の場合には、前記第１の排出モードとし、前記折丁の重ね枚数が複数枚の場合には、前記第２の排出モードとすることが好ましい。
【００１５】
また、次の本発明に係る折機は、印刷され、所定の寸法に切断された折丁を所定の寸法に折る折り胴と、前記折り胴から前記折丁を受け取るくわえ胴と、前記折丁搬送経路切替構造と、を備え、前記折丁搬送経路切替構造により、前記くわえ胴からの前記折丁を、前記第１の排紙経路又は前記第２の排紙経路へ振り分けることを特徴とする。
【００１６】
この折機は、前記折丁搬送経路切替構造を備えるので、折丁振り分け手段である減速胴は単一で済む。これによって、折丁を受け渡しする際に高い受け渡し精度が要求される箇所を低減できる。同時に、複数の搬送経路を有する折機において、折丁を複数枚重ねた場合にも複数の搬送経路に折丁を排紙することができる。
【発明の効果】
【００１７】
この発明に係る折丁搬送経路切替構造及び折機は、複数の搬送経路を有する折機において、折丁を複数枚重ねた場合にも複数の搬送経路に折丁を排紙しつつ、折丁を受け渡しする際に高い受け渡し精度が要求される箇所を低減できる。
【発明を実施するための最良の形態】
【００１８】
以下、この発明につき図面を参照しつつ詳細に説明する。なお、この発明を実施するための最良の形態（以下実施形態という）によりこの発明が限定されるものではない。また、下記実施の形態における構成要素には、当業者が容易に想定できるもの、あるいは実質的に同一のもの、いわゆる均等の範囲のものが含まれる。
【００１９】
本実施形態は、次の点に特徴がある。すなわち、折機において、折丁振り分け手段である減速胴に第１の折丁保持手段及び第２の折丁保持手段を備える。そして、第１の折丁保持手段及び第２の折丁保持手段を第１の排紙経路の位置で開放する第１の折丁開放部と、少なくとも第２の折丁保持手段を第２の排紙経路の位置で開放する第２の折丁開放部とを設けて、折丁の重ね数に応じて第２の折丁保持手段に対する第１の折丁開放部の開放機能を停止させる。
【００２０】
図１−１は、本実施形態に係る折機の構成を示す模式図である。図１−２は、折丁の重ね枚数を説明する模式図である。この折機１は、印刷機４０によって所定の画像が印刷された連続紙Ｗを所定の寸法に裁断して、所定の寸法に折る装置である。印刷機４０によって画像が印刷された連続紙Ｗは、折胴２の外周部に設けられる案内針２Ｎに掛けられて、折機１の折胴２と鋸胴３との間に導かれ、鋸胴３によって所定の寸法に裁断されてシートＳ０となる。そして、シートＳ０は、折胴２とくわえ胴４との間で折り畳まれる。ここで、所定の寸法に裁断され折り畳まれたシートＳ０を折丁Ｓという。折丁Ｓは、くわえ胴４に設けられるくわえ爪４Ｎで保持されて、折丁振り分け手段である減速胴５まで搬送される。
【００２１】
折胴２の案内針２Ｎに掛けられるシートＳ０が１枚である場合、折丁Ｓは図１−２に示す１枚重ねとなる。折胴２の案内針２Ｎに掛けられるシートＳ０が複数枚（本実施形態では２枚）重ねられる場合、折丁Ｓは、図１−２に示す複数枚重ね（本実施形態では２枚重ね）となる。折胴２の案内針２Ｎに複数（例えば２枚）のシートＳ０を掛けて複数枚重ねの折丁Ｓとする場合、鋸胴３によって連続紙Ｗを所定の寸法に裁断して１枚目のシートＳ０とした後、くわえ胴４との間で折丁Ｓを作らずにくわえ胴４を通過する。そして、折胴２の案内針２Ｎに掛けられた１枚目のシートＳ０の上に、さらに連続紙Ｗを掛けて所定の寸法に引き出して鋸胴３で前記連続紙Ｗを裁断する。これによって、２枚のシートＳ０が重ねられた状態となる。この状態で、２枚のシートＳ０を折胴２とくわえ胴４との間で折り畳めば、２枚重ねの折丁Ｓ（図１−２参照）とすることができる。このように、重ねる折丁の数に応じて前記手順を繰り返せば、複数枚重ねの折丁Ｓとすることができる。
【００２２】
折丁Ｓは、折り畳まれた状態で減速胴５へ受け渡される。減速胴５には、折丁保持手段を構成する折丁くわえ爪５Ｎが設けられており、この折丁くわえ爪５Ｎで折丁Ｓを保持することにより、くわえ胴４から減速胴５へ折丁Ｓが受け渡される。ここで、減速胴５は、くわえ胴４の周速よりも遅い周速で回転している。
【００２３】
減速胴５は、くわえ胴４から受け渡された折丁Ｓを、第１の排紙経路７Ｊと第２の排紙経路７Ｋとへ振り分ける。第１の排紙経路７Ｊへ折丁Ｓを振り分ける場合、折丁振り分けガイド１１が矢印Ｇ２の方向に移動した状態（折丁振り分けガイド１１が減速胴５の方向へ移動した状態）とする。この状態で減速胴５が回転すると、折丁Ｓは、折丁振り分けガイド１１によって第１の排紙経路７Ｊが備える第１搬送装置１２Ｊへ導かれる。第１搬送装置１２Ｊの位置で折丁くわえ爪５Ｎによる折丁Ｓの保持を開放すると、折丁Ｓは、第１搬送装置１２Ｊへ受け渡される。
【００２４】
第２の排紙経路７Ｋへ折丁Ｓを振り分ける場合、折丁振り分けガイド１１が矢印Ｇ１の方向に移動した状態（折丁振り分けガイド１１が減速胴５から離れる方向へ移動した状態）とする。この状態で減速胴５が回転すると、折丁Ｓは、折丁振り分けガイド１１と減速胴５との間を通って、案内胴６に向かって搬送される。そして、折丁Ｓは、案内胴６に設けられる案内胴折丁くわえ爪６Ｎによって保持されて、減速胴５から案内胴６へと受け渡される。案内胴６へ受け渡された折丁Ｓは、第２の排紙経路７Ｋが備える第２搬送装置１２Ｋの位置で、案内胴折丁くわえ爪６Ｎによる保持が開放されて、第２搬送装置１２Ｋへ受け渡される。このようにして、折丁Ｓは、第１の排紙経路７Ｊと第２の排紙経路７Ｋとへ振り分けられる。
【００２５】
第１の排紙経路７Ｊと第２の排紙経路７Ｋとへ振り分けられた折丁Ｓは、それぞれ第１搬送装置１２Ｊ、第２搬送装置１２Ｋで第１排紙用羽根車９Ｊ、第２排紙用羽根車９Ｋへ送られて一旦格納されてから、集積装置である第１スタッカ１０Ｊ、第２スタッカ１０Ｋへ格納される。本実施形態に係る折機１では、第１の排紙経路７Ｊと第２の排紙経路７Ｋとに、それぞれ第１チョッパ折装置８Ｊと第２チョッパ折装置８Ｋとが設けられており、折胴２で折り畳まれた折丁Ｓをさらに折り畳む。なお、第１チョッパ折装置８Ｊ及び第２チョッパ折装置８Ｋは、必要に応じて設ければよい。
【００２６】
図２は、減速胴への折丁クランプの配置を示す説明図である。図３−１、図３−２は、本実施形態に係る折機が備える折丁保持手段の構成を示す説明図である。図２に示すように、本実施形態において、減速胴５は、中心角が９０度の間隔で、減速胴５の周方向に向かって計４個の折丁保持手段（第１折丁クランプ装置２０Ａ、第２折丁クランプ装置２０Ｂ、第３折丁クランプ装置２０Ｃ、第４折丁クランプ装置２０Ｄ）を備える。ここで、第１折丁クランプ装置２０Ａが第１の折丁保持手段に相当し、第２折丁クランプ装置２０Ｂが第２の折丁保持手段に相当し、第３折丁クランプ装置２０Ｃが第３の折丁保持手段に相当し、第４折丁クランプ装置２０Ｄが第４の折丁保持手段に相当する。
【００２７】
次の説明においては、第１折丁クランプ装置２０Ａ、第２折丁クランプ装置２０Ｂ、第３折丁クランプ装置２０Ｃ、第４折丁クランプ装置２０Ｄを、必要に応じて折丁クランプ装置という。なお、図３−１には、４個の折丁クランプ装置のうち、第１折丁クランプ装置２０Ａ及び第２折丁クランプ装置２０Ｂが示されている。次に、図３−１、図３−２を用いて、折丁クランプ装置（第１及び第２折丁クランプ装置２０Ａ、２０Ｂ）の構成及び動作を説明する。
【００２８】
折丁クランプ装置は、シャフト２１の軸方向に沿って複数の折丁くわえ爪５Ｎが取り付けられている。シャフト２１の一端には、クランク２２が取り付けられており、シャフト２１を中心としてクランク２２を揺動させると、折丁くわえ爪５Ｎが開閉するようになっている。折丁くわえ爪５Ｎが閉じると、折丁くわえ爪５Ｎと減速胴５との間に折丁Ｓが挟持される。折丁くわえ爪５Ｎが開くと、折丁くわえ爪５Ｎが減速胴５を離れるので折丁Ｓが開放される。この動作を実現する構造について、図３−２を用いてより詳細に説明する。なお、図３では、第１折丁クランプ装置２０Ａを例とするが、第２〜第４折丁クランプ装置２０Ｂ〜２０Ｄも、基本的な構成は第１折丁クランプ装置２０Ａと同様である。
【００２９】
第１折丁クランプ装置２０Ａにおいて、シャフト２１が取り付けられる端部とは反対側におけるクランク２２の端部には、カム（この例では第１カム２４Ｘ）により動作するカムフォロワ（この例では第１カムフォロワ２３Ｘ）が取り付けられる。減速胴５が回転すると、これに取り付けられる第１折丁クランプ装置２０Ａ等も、減速胴５とともに回転する。減速胴５の回転中、第１折丁クランプ装置２０Ａの第１カムフォロワ２３Ｘは、第１カム２４Ｘの外周に接しながら移動するので、第１カムフォロワ２３Ｘは、第１カム２４Ｘの外周の形状に沿って動くことになる。
【００３０】
第１カム２４Ｘの外周には、カム動作部２４ＸＲとして凹部が形成されている。第１カム２４Ｘは略円形なので、カム動作部２４ＸＲ以外の部分では、第１カムフォロワ２３Ｘはシャフト２１を中心としては揺動しない。この状態では、折丁くわえ爪５Ｎは閉じた状態であり、折丁Ｓは折丁くわえ爪５Ｎと減速胴５とで挟持される。第１カムフォロワ２３Ｘがカム動作部２４ＸＲの位置にくると、第１カムフォロワ２３Ｘは、第１カム２４Ｘの内側に向かって移動する。すると、第１カムフォロワ２２が取り付けられるクランク２２は、シャフト２１を中心として第１カム２４Ｘの内側に向かって、すなわち減速胴５の内側に向かって揺動する。これによって、シャフト２１を中心としてクランク２２が揺動するので、折丁くわえ爪５Ｎが開いて、折丁Ｓが折丁くわえ爪５Ｎから開放される。
【００３１】
第２折丁クランプ装置２０Ｂの動作も、上述した第１折丁クランプ装置２０Ａの動作と同様であるが、第２折丁クランプ装置２０Ａは、折丁Ｓの重ね枚数に応じて、折丁Ｓを排紙する排紙経路を、第１の排紙経路７Ｊ又は第２の排紙経路７Ｋに切り替える。本実施形態においては、このためのカム（第２カム２４Ｙ）が設けられており、第２折丁クランプ装置２０Ｂは、第２カム２４Ｙと接する第２カムフォロワ２３Ｙを、第１カムフォロワ２３Ｘと同軸に備えている。
【００３２】
図３に示すように、本実施形態においては、第１折丁クランプ装置２０Ａと第２折丁クランプ装置２０Ｂとが対向して、すなわち、中心角で１８０度の位置に設けられる。また、本実施形態においては、第１折丁クランプ装置２０Ａと第２折丁クランプ装置２０Ｂとが対向して、すなわち、中心角で１８０度の位置に設けられる。そして、第３折丁クランプ装置２０Ｃと第４折丁クランプ装置２０Ｄとが対向して（すなわち、中心角で１８０度の位置に）設けられる。
【００３３】
第３折丁クランプ装置２０Ｃと第４折丁クランプ装置２０Ｄとは、第２の排紙経路７Ｋ（図１参照）のみに折丁Ｓを排紙する。また、第１折丁クランプ装置２０Ａは、第１の排紙経路７Ｊのみに折丁Ｓを排紙する。一方、第２折丁クランプ装置２０Ｂは、第１の排紙経路７Ｊと第２の排紙経路７Ｋとの両方に折丁Ｓを排紙可能に構成されており、折丁Ｓの重ね枚数に応じて、第１の排紙経路７Ｊ又は第２の排紙経路７Ｋのいずれか一方へ排紙する。
【００３４】
本実施形態では、折丁Ｓが単独である場合、すなわち折丁Ｓの重ね枚数が１枚である場合には、第２折丁クランプ装置２０Ｂは第１の排紙経路７Ｊへ折丁Ｓを排紙する。そして、折丁Ｓが２枚である場合、すなわち折丁Ｓの重ね枚数が２枚である場合には、第２折丁クランプ装置２０Ｂは第２の排紙経路７Ｊへ重ねられた２枚の折丁Ｓを排紙するという折丁搬送経路切替構造を採用する。次に、この折丁搬送経路切替構造について説明する。なお、次の説明においては、適宜図１を参照されたい。
【００３５】
図４は、第１及び第２折丁クランプ装置の構成を示す概略図である。図５−１〜図５−３は、本実施形態に係る折機が備える折丁振り分け機構の動作を示す動作説明図である。本実施形態に係る折丁搬送経路切替構造において、折丁振り分け先切替手段である折丁振り分け機構２４は、第１カム２４Ｘと第２カム２４Ｙとを含んで構成される。折丁振り分け機構２４を構成する第１カム２４Ｘと第２カム２４Ｙとは、回転する減速胴５に対して静止して配置される。なお、第２カム２４Ｙは、折丁振り分け機構動作手段であるアクチュエータ２８によって、折丁振り分け機構軸Ｚ（本実施形態では、減速胴５の回転軸Ｚと同じ）を中心として回転可能に構成される。このように、アクチュエータ２８を用いることで遠隔制御や自動制御が可能になる。
【００３６】
図４に示すように、第１カム２４Ｘの外周には、第１及び第２折丁クランプ装置２０Ａ、２０Ｂが備える第１カムフォロワ２３Ｘが接している。図５−１に示すように、第１カム２４Ｘの外周部には、周方向に向かって複数箇所（本実施形態では３箇所）に凹部が設けられる。これらは、それぞれ、第１動作部２４Ｘ１、第２動作部２４Ｘ２、第３動作部２４Ｘ３となって、第１及び第２折丁クランプ装置２０Ａ、２０Ｂがそれぞれ備える第１カムフォロワ２３Ｘを動作させる。第１カム２４Ｘは略円形の形状であり、第１動作部２４Ｘ１、第２動作部２４Ｘ２、第３動作部２４Ｘ３が形成される部分同士の間は、半径ｒ１の円弧で構成される。
【００３７】
第１動作部２４Ｘ１は、折丁クランプ装置（第１及び第２折丁クランプ装置２０Ａ、２０Ｂ）が、くわえ胴４（図１参照）から折丁Ｓを受け取るために設けられる。第１動作部２４Ｘ１を第１カムフォロワ２３Ｘが通過する際には、図３−２を用いて説明したように、第１及び第２折丁クランプ装置２０Ａ、２０Ｂの折丁くわえ爪５Ｎが開閉するので、このときに折丁Ｓを折丁くわえ爪５Ｎが保持して、折丁クランプ装置がくわえ胴４から折丁Ｓを受け取る。
【００３８】
第２動作部２４Ｘ２（特許請求の範囲における第１の折丁開放部に相当する）、第３動作部２４Ｘ３（特許請求の範囲における第２の折丁開放部に相当する）は、いずれも折丁クランプ装置から折丁Ｓを開放するために設けられる。第２動作部２４Ｘ２は、第１及び第２折丁クランプ装置２０Ａ、２０Ｂが折丁Ｓの保持を開放して、第１の排紙経路７Ｊへ折丁Ｓを排紙するために設けられる。第２動作部２４Ｘ２を第１カムフォロワ２３Ｘが通過する際に、第１及び第２折丁クランプ装置２０Ａ、２０Ｂの折丁くわえ爪５Ｎが開くので、このときに折丁Ｓが折丁くわえ爪５Ｎから開放されて、第１の排紙経路７Ｊへ折丁Ｓが排紙される。また、第３動作部２４Ｘ３は、第２折丁クランプ装置２０Ｂが折丁Ｓの保持を開放して、第２の排紙経路７Ｋへ折丁Ｓを排紙するために設けられる。第３動作部２４Ｘ３を第１カムフォロワ２３Ｘが通過する際に、第２折丁クランプ装置２０Ｂの折丁くわえ爪５Ｎが開くので、このときに折丁Ｓが折丁くわえ爪５Ｎから開放されて、第２の排紙経路７Ｋへ折丁Ｓが排紙される。
【００３９】
図４に示すように、本実施形態に係る折丁振り分け機構２４が備える第２カム２４Ｙの外周は、第２折丁クランプ装置２０Ｂが備える第２カムフォロワ２３Ｙと接している。第２カム２４Ｙは、半径ｒ２の円弧を含む略扇形形状であり、第２カム２４Ｙの円弧部分の半径ｒ２は、第１カム２４Ｘの円弧部分の半径ｒ１と等しい。このため、第２カム２４Ｙの外周を第２カムフォロワ２３Ｙが通過しても、第２カムフォロワ２３Ｙはシャフト２１を中心として揺動しない。その結果、第２折丁クランプ装置２０Ｂの折丁くわえ爪５Ｎは閉じたままであり、第２折丁クランプ装置２０Ｂの折丁くわえ爪５Ｎに保持された折丁Ｓは、そのままの状態を維持する。すなわち、第２カム２４Ｙは、第１の排紙経路７Ｊの位置で、第２折丁クランプ装置２０Ｂが折丁Ｓを保持した状態を維持するように形成される。
【００４０】
本実施形態においては、折丁Ｓの重ね枚数が１枚であるとき、第２折丁クランプ装置２０Ｂの排紙先は、第１の排紙経路７Ｊとなる。第２折丁クランプ装置２０Ｂの排紙先が第１の排紙経路７Ｊである場合、第２折丁クランプ装置２０Ｂは、第１カム２４Ｘで動作させればよい。すなわち、アクチュエータ２８によって、第２カム２４Ｙを第１カム２４Ｘの円弧部分に配置して、第２折丁クランプ装置２０Ｂに対して、第１カム２４Ｘに形成される第１動作部２４Ｘ１、第２動作部２４Ｘ２、第３動作部２４Ｘ３のすべてを機能させる。
【００４１】
なお、第１折丁クランプ装置２０Ａの排紙先は、常に第１の排紙経路７Ｊとなるので、第１折丁クランプ装置２０Ａは第１カムフォロワ２３Ｘのみを第１カム２４Ｘで動作させる。これによって、第１折丁クランプ装置２０Ａに対しては、第１カム２４Ｘに形成される第１動作部２４Ｘ１、第２動作部２４Ｘ２、第３動作部２４Ｘ３のすべてを常に機能させる。上記構成により、折丁Ｓの重ね枚数が１枚であるときには、第１及び第２折丁クランプ装置２０Ａ、２０Ｂは、第１動作部２４Ｘ１で折丁Ｓを受け取り、第２動作部２４Ｘ２で折丁Ｓの保持が開放されて、第１の排紙経路７Ｊへ折丁Ｓを排紙する。なお、第３動作部２４Ｘ３でも第１及び第２折丁クランプ装置２０Ａ、２０Ｂの折丁くわえ爪５Ｎは開放されるが、このときには、第１及び第２折丁クランプ装置２０Ａ、２０Ｂは折丁Ｓを第１の排紙経路７Ｊへ折丁Ｓを排出しているため、何ら影響はない。
【００４２】
折丁Ｓの重ね枚数が２枚であるとき、第２折丁クランプ装置２０Ｂの排紙先は、第２の排紙経路７Ｋなる。第２折丁クランプ装置２０Ｂの排紙先が第２の排紙経路７Ｋである場合、第２折丁クランプ装置２０Ｂを第１カム２４Ｘのみで動作させると、くわえ胴４から折丁Ｓを受け取る動作、及び、第２の排紙経路７Ｋへ折丁Ｓを排紙する動作は実現できる。しかし、この場合、第２の排紙経路７Ｋの前方（減速胴５の回転方向前方）には、第１の排紙経路７Ｊが存在する。このため、第２折丁クランプ装置２０Ｂは、第３動作部２４Ｘ３の前方に設けられた第２動作部２４Ｘ２によって、第２の排紙経路７Ｋで折丁Ｓを排紙する前に、第１の排紙経路７Ｊで折丁Ｓを排紙してしまう。
【００４３】
これを回避するため、図５−２に示すように、アクチュエータ２８によって第２カム２４Ｙを第２動作部２４Ｘ２に向かって回転させ（図５−２の矢印Ｅ方向）、第２カム２４Ｙを第１カム２４Ｘの第２動作部２４Ｘ２に配置する。なお、第２カム２４Ｙは、アクチュエータ２８で動作させる必要はなく、必要な場合、すなわち折丁Ｓを複数枚重ねたときに、複数の排紙経路へ前記折丁Ｓを排紙する場合に、第２カム２４Ｙを第１動作部２４Ｘ１の位置に取り付けるようにしてもよい。このようにすれば、第２カム２４Ｙを駆動するアクチュエータ２８を設けるスペースやコストを削減できる。
【００４４】
これによって、第２折丁クランプ装置２０Ｂに対しては、第１カム２４Ｘに形成される第２動作部２４Ｘ２の機能を停止して、第１動作部２４Ｘ１、及び第３動作部２４Ｘ３のみを機能させる。すなわち、第２折丁クランプ装置２０Ｂの第１カムフォロワ２３Ｘが第１カム２４Ｘの第２動作部２４Ｘ２を通過する際には、第２動作部２４Ｘ２に配置された第２カム２４Ｙに接する第２カムフォロワ２３Ｙ（第１カムフォロワ２３Ｘと同軸に設けられる）によって、第２折丁クランプ装置２０Ｂの折丁くわえ爪５Ｎを開く動作が停止する。これによって、２枚重ねの折丁Ｓを保持した第２折丁クランプ装置２０Ｂは、その状態を維持したまま、第１の排紙経路７Ｊの位置を通過することができる。
【００４５】
減速胴５がさらに回転して、２枚重ねの折丁Ｓを保持した第２折丁クランプ装置２０Ｂが第１の排紙経路７Ｊの位置にくると、第１カム２４Ｘの第３動作部２４Ｘ３には第２カム２４Ｙは存在しないので、第１カム２４Ｘの第３動作部２４Ｘ３は、第２折丁クランプ装置２０Ｂに対して機能する。したがって、第２折丁クランプ装置２０Ｂの第１及び第２カムフォロワ２３Ｘ、２３Ｙは、ともに第１カム２４Ｘの内側に向かって、シャフト２１を中心として揺動する。これによって、第２折丁クランプ装置２０Ｂは、第２の排紙経路７Ｋで折丁くわえ爪５Ｎが開き、折丁Ｓを排紙することができる。
【００４６】
このように、折丁Ｓの重ね枚数に応じて第２カム２４Ｙを動作させることにより、第２折丁クランプ装置２０Ｂに対する第１カム２４Ｘの機能の一部を停止させて、折丁Ｓの重ね枚数に応じて第２折丁クランプ装置２０Ｂの排紙先を変更する。その結果、折丁Ｓの重ね枚数が１枚の場合のみならず、折丁Ｓの重ね枚数が増加した場合（本実施形態では２枚）でも、第１の排紙経路７Ｊ及び第２の排紙経路７Ｋの両方を用いることができる。これによって、一方の排紙経路に備えられた搬送装置（例えば第１搬送装置１２Ｊ、図１参照）の使用頻度の増加を抑えて、両方の排紙経路に備えられた両方の搬送装置を均等に使用することができる。その結果、両方の搬送装置の消耗具合を同程度とすることができる。
【００４７】
また、本実施形態では、両方の排紙経路を使用するので、それぞれの排紙経路に設けられる集積装置（第１スタッカ１０Ｊ、第２スタッカ１０Ｋ、図１参照）を用いることができる。その結果、集積装置から折丁を回収する頻度を低減できる。さらに、チョッパ折装置を用いる場合、両方の排紙一方の排紙経路を使用するので、一方経路のみを使用する場合と比較して、チョッパ折装置に送られる折丁Ｓ同士の間隔を長くできる。その結果、チョッパ折装置の折速度に余裕が生まれる。また、排紙用羽根車（第１排紙用羽根車９Ｊ、第２排紙用羽根車９Ｋ、図１参照）へ送られる折丁Ｓ同士の間隔を長くできるので、折丁Ｓを排紙用羽根車で回収するタイミングにも余裕が生まれる。このように、本実施形態では、両方の排紙経路を使用するので、排紙経路に折丁Ｓが排紙された後の処理に余裕が生まれるので、排紙後の処理に用いる装置の負担が軽減され、これらの装置の耐久性低下を抑制できる。
【００４８】
次に、第３折丁クランプ装置２０Ｃ及び第４折丁クランプ装置２０Ｄ（図２参照）の動作について説明する。第３折丁クランプ装置２０Ｃ及び第４折丁クランプ装置２０Ｄは、第２の排紙経路７Ｋのみに折丁Ｓを排紙する。このため、図５−３に示す第３カム２５Ｘを用いて第３折丁クランプ装置２０Ｃ及び第４折丁クランプ装置２０Ｄを動作させる。
【００４９】
図５−３に示すように、第３カム２５Ｘの外周部には、周方向に向かって複数箇所（本実施形態では２箇所）に凹部が設けられる。これらは、それぞれ、第１動作部２５Ｘ１、第２動作部２５Ｘ２となって、第３及び第４折丁クランプ装置２０Ｃ、２０Ｄを動作させる。第１動作部２５Ｘ１は、第３及び第４折丁クランプ装置２０Ｃ、２０Ｄが、くわえ胴４（図１参照）から折丁Ｓを受け取るために設けられる。第１動作部２５Ｘ１を第３及び第４折丁クランプ装置２０Ｃ、２０Ｄが通過する際には、図３−２を用いて説明したように、第３及び第４折丁クランプ装置２０Ｃ、２０Ｄの折丁くわえ爪５Ｎが開閉するので、このときに折丁Ｓを折丁くわえ爪５Ｎが保持して、第３及び第４折丁クランプ装置２０Ｃ、２０Ｄがくわえ胴４から折丁Ｓを受け取る。
【００５０】
第２動作部２５Ｘ２は、第３及び第４折丁クランプ装置２０Ｃ、２０Ｄから折丁Ｓを開放するために設けられる。第２動作部２５Ｘ２は、第３及び第４折丁クランプ装置２０Ｃ、２０Ｄが折丁Ｓの保持を開放して、第２の排紙経路７Ｋへ折丁Ｓを排紙するために設けられる。第２動作部２５Ｘ２を第３及び第４折丁クランプ装置２０Ｃ、２０Ｄが通過する際に、第３及び第４折丁クランプ装置２０Ｃ、２０Ｄの折丁くわえ爪５Ｎが開くので、このときに折丁Ｓが折丁くわえ爪５Ｎから開放されて、第２の排紙経路７Ｋへ折丁Ｓが排紙される。次に、折丁振り分けガイド１１（図１参照）の動作を説明する。
【００５１】
図６−１、図６−２は、本実施形態に係る折機が備える折丁振り分けガイドの動作を示す説明図である。図６−３は、本実施形態に係る折機が備える折丁振り分けガイドの構成を示す説明図である。折丁振り分けガイド１１は、折丁振り分けガイド支持軸１１Ｓを中心に揺動できるように構成されており、第１の排出経路側ＥＸ１と第２の排出経路側ＥＸ２とに、折丁Ｓを振り分ける。折丁振り分けガイド１１には、折丁振り分けガイド１１を揺動させる腕１４が取り付けられている。腕１４は、一端部が折丁振り分けガイド１１に取り付けられ、他端部にはカムフォロワ１３が取り付けられている。
【００５２】
図６−３に示すように、カムフォロワ１３は、第１カムフォロワ１３Ｘと第２カムフォロワ１３Ｙとが同軸に取り付けられている。そして、第１カムフォロワ１３Ｘは、第１の回転カム（以下第１カム）３０と接しており、第２カムフォロワ１３Ｙは、第２の回転カム（以下第２回転カム）３１と接している。なお、第１回転カム３０と第２回転カム３１とは、同軸に取り付けられて、減速胴５と同期して（同じ回転数で）回転する。
【００５３】
折丁Ｓを第１の排紙経路７Ｊ（図１参照）へ排紙する場合、折丁振り分けガイド１１を矢印Ｇ２の方向（折丁振り分けガイド１１が減速胴５に近づく方向）へ動かす。これによって、折丁Ｓは、折丁振り分けガイド１１が減速胴５と対向する側とは反対側を通って、第１の排出経路側ＥＸ１へ導かれる。一方、折丁Ｓを第２の排紙経路７Ｋ（図１参照）へ排紙する場合、折丁振り分けガイド１１を矢印Ｇ１の方向（折丁振り分けガイド１１が減速胴５から離れる方向）へ動かす。これによって、折丁Ｓは、折丁振り分けガイド１１と減速胴５との間を通って、第２の排出経路側ＥＸ２へ導かれる。
【００５４】
本実施形態においては、第１の折丁保持手段である第１折丁クランプ装置２０Ａ及び第２の折丁保持手段である第２折丁クランプ装置２０Ｂから開放された折丁Ｓを、第１の排紙経路７Ｊへ導く第１の排出モードがある。第１の排出モードは、折丁Ｓの重ね枚数が１枚である場合の排紙モードである。また、第１折丁クランプ装置２０Ａから開放された折丁Ｓを第１の排紙経路７Ｊへ導き、かつ、第２折丁クランプ装置２０Ｂから開放された折丁Ｓを第２の排紙経路７Ｋへ導く第２の排出モードがある。第２の排紙モードは、折丁Ｓの重ね枚数が複数枚（本実施形態では２枚）である場合の排紙モードである。本実施形態に係る折丁振り分けガイド１１は、第１の排紙モードと第２の排紙モードとを切替可能である。
【００５５】
本実施形態では、第１及び第２回転カム３０、３１によって、カムフォロワ１３及び腕１４を介して折丁振り分けガイド１１を動作させる。第１回転カム３０は、外周部に沿って複数の凹部が形成されており、それぞれの凹部が、第１動作部３０＿１、第３動作部３０＿３となる。第１動作部３０＿１と第３動作部３０＿３とは、対向して配置されている（すなわち、カム軸Ｚｃに対する角度が１８０度ずれている）。
【００５６】
また、第１動作部３０＿１と第３動作部３０＿３との間には、第２動作部３０＿２と第４動作部３０＿４とが設けられる。第２動作部３０＿２と第４動作部３０＿４とは、凹部で形成される第１動作部３０＿１及び第３動作部３０＿３に対しては凸部となる。第１動作部３０＿１及び第３動作部３０＿３と同様に、第２動作部３０＿２と第４動作部３０＿４とは、対向して配置されている（すなわち、カム軸Ｚｃに対する角度が１８０度ずれている）。
【００５７】
第１回転カム３０の第１動作部３０＿１及び第３動作部３０＿３の位置にカムフォロワ１３がくると、カムフォロワ１３は、第１回転カム３０のカム軸Ｚｃに向かって動く（図６−１の矢印Ｆ２方向）。すると、折丁振り分けガイド１１は、減速胴５に向かって動くので（図６−１中の矢印Ｇ２方向）、折丁Ｓは、第１の排出経路側ＥＸ１へ導かれる。
【００５８】
また、第１回転カム３０の第２動作部３０＿２及び第４動作部３０＿４の位置にカムフォロワ１３がくると、カムフォロワ１３は、第１回転カム３０のカム軸Ｚｃから離れる方向に動く（図６−１の矢印Ｆ１方向）。すると、折丁振り分けガイド１１は、減速胴５から離れる方向に動くので（図６−１中の矢印Ｇ１方向）、折丁Ｓは、第２の排出経路側ＥＸ２へ導かれる。
【００５９】
折丁Ｓの重ね枚数が１枚である場合、第１及び第２折丁クランプ装置２０Ａ、２０Ｂ（図２、図３−１参照）は、ともに第１の排紙経路７Ｊ（図１参照）へ折丁Ｓを排紙する（第１の排紙モード）。このため、折丁振り分けガイド１１は、第１折丁クランプ装置２０Ａと第２折丁クランプ装置２０Ｂとが折丁Ｓを開放するタイミングで、減速胴５に向かって動くことになる。なお、第３及び第４折丁クランプ装置２０Ｃ、２０Ｄ（図２）は、ともに第２の排紙経路７Ｋ（図１参照）へ折丁Ｓを排紙する。このため、折丁振り分けガイド１１は、第２折丁クランプ装置２０Ｃと第４折丁クランプ装置２０Ｄとが折丁Ｓを開放するタイミングで、減速胴５から離れる方向に動くことになる。
【００６０】
図２に示すように、第１折丁クランプ装置２０Ａと第２折丁クランプ装置２０Ｂとは、中心角で１８０度ずれているため、折丁振り分けガイド１１は、減速胴５が１８０度回転する毎に、減速胴５に向かって動けばよい。上述したように、第１回転カム３０は減速胴５と同期して（同じ回転数で）回転するため、第１折丁クランプ装置２０Ａと第２折丁クランプ装置２０Ｂとが折丁Ｓを開放するタイミングに合わせて、第１回転カム３０の第１動作部３０＿１及び第３動作部３０＿３の位置にカムフォロワ１３がくるようにすればよい。
【００６１】
折丁Ｓの重ね枚数が２枚である場合、第１折丁クランプ装置２０Ａは第１の排紙経路７Ｊ（図１参照）へ折丁Ｓを排紙し、第２折丁クランプ装置２０Ｂは、第２の排紙経路７Ｋ（図１参照）へ折丁Ｓを排紙する（第２の排紙モード）。折丁Ｓの重ね枚数が２枚である場合と同じように折丁振り分けガイド１１を動作させると、第２折丁クランプ装置２０Ｂが第２の排紙経路７Ｋへ折丁Ｓを排紙するタイミングでも、折丁振り分けガイド１１が第１の排紙経路７Ｊへ折丁Ｓを排紙させるように動いてしまう（図６−１の矢印Ｇ２方向）。
【００６２】
このため、本実施形態では、円弧部分の半径ｒ２が、第１回転カム３０の第２及び第４動作部３０＿２、３０＿４の半径ｒ１と等しい第２回転カム３１を、第１回転カム３０の第３動作部３０＿３に重ねることにより、第１回転カム３０の第３動作部３０＿３の機能を停止させる（図６−２参照）。第２回転カム３１は、アクチュエータ等を駆動手段として用いることによって、自動的に第１回転カム３０の第３動作部３０＿３へ重ねてもよい。このようにすれば、第２回転カム３１の動きと折丁振り分け機構２４を構成する第２カム２４Ｙを駆動するアクチュエータ２８（図４参照）とを連携させて、排紙経路の切替の自動制御が実現できる。なお、第２回転カム３１は、必要な場合に、第１回転カム３０の第３動作部３０＿３に取り付けるようにしてもよい。このようにすれば、第２回転カム３１の駆動手段を設けるスペースやコストを削減できる。
【００６３】
ここで、第２回転カム３１は、第１カムフォロワ１３Ｘと同軸に設けられる第２カムフォロワ１３Ｙと接している。このため、カムフォロワ１３が第１回転カム３０の第３動作部３０＿３の位置にきた場合には、第２カムフォロワ１３Ｙによってカムフォロワ１３が第１回転カム３０のカム軸Ｚｃに向かう動きが阻止される。
【００６４】
このような構成により、減速胴５が３６０度回転する毎に、折丁振り分けガイド１１が第１の排出経路側ＥＸ１と第２の排出経路側ＥＸ２とに切り替えられる。これによって、折丁Ｓの重ね枚数が２枚である場合には、２枚重ねられた折丁Ｓを保持した第２折丁クランプ装置２０Ｂが折丁振り分けガイド１１を通過する際には、折丁Ｓは折丁振り分けガイド１１と減速胴５との間を通過して、第２の排出経路側ＥＸ２へ導かれる。その結果、折丁Ｓの重ね枚数が２枚である場合には、第１折丁クランプ装置２０Ａは、第１の排紙経路７Ｊへ折丁を排紙し、第２折丁クランプ装置２０Ｂは第２の排紙経路７Ｋへ折丁Ｓを排紙できるようになる。次に、本実施形態に係る折機が備える折丁振り分けガイドの変形例を説明する。
【００６５】
図７は、本実施形態に係る折機が備える折丁振り分けガイドの変形例の動作を示す説明図である。この変形例に係る折丁振り分けガイドは、折丁振り分けガイド駆動手段であるモータ３５によって駆動される回転カム３２によって、折丁振り分けガイド支持軸１１Ｓを中心に揺動できるように構成される。回転カム３２は、第１動作部３２＿１と第２動作部３２＿２とを備えている。第１動作部３２＿１の半径はｒ３、第２動作部３２＿２の半径はｒ１であり、ｒ３＜ｒ２である。また、第１動作部３２＿１と第２動作部３２＿２とは、対向して、すなわちカム軸Ｚｃに対して１８０度ずれて配置される。
【００６６】
カムフォロワ１３が第１動作部３２＿１の位置にきたときには、折丁振り分けガイド１１は減速胴５に向かって動き（図７の矢印Ｇ２方向）、第１の排出経路側ＥＸ１へ折丁Ｓを導く。また、カムフォロワ１３が第２動作部３２＿２の位置にきたときには、折丁振り分けガイド１１は減速胴５から離れる方向に向かって動き（図７の矢印Ｇ１方向）、第２の排出経路側ＥＸ２へ折丁Ｓを導く。回転カム３２は、カム軸Ｚｃと同軸に被駆動プーリ３４が設けられる。また、モータ３５の駆動軸には、駆動プーリ３６が取り付けられる。駆動プーリ３６と駆動プーリ３６とにはベルト３３が掛けられており、モータ３５は、駆動プーリ３６、ベルト３３及び駆動プーリ３６を介して回転カム３２を回転させる。
【００６７】
上述したように、折丁Ｓの重ね枚数が１枚である場合、減速胴５が９０度回転する毎に折丁Ｓの排紙先が第１の排紙経路７Ｊと第２の排紙経路７Ｋとに切り替えられればよいので、回転カム３２は、減速胴５の２倍の回転数で回転すればよい。一方、折丁Ｓの重ね枚数が２枚である場合、減速胴５が１８０度回転する毎に折丁Ｓの排紙先が第１の排紙経路７Ｊと第２の排紙経路７Ｋとに切り替えられればよいので、回転カム３２は、減速胴５と同じ回転数で回転すればよい。回転カム３２の回転数は、モータ３５の回転数を調整することで変更できる。また、モータ３５と回転カム３２との間に、変速比可変機構を設け、変速比を変更することにより、回転カム３２の回転数を変更してもよい。
【００６８】
以上、本実施形態では、第１の折丁保持手段及び第２の折丁保持手段を、第１の排紙経路の位置で開放する第１の折丁開放部と、少なくとも第２の折丁保持手段を第２の排紙経路の位置で開放する第２の折丁開放部とを有し、折丁の重ね数に応じて第２の折丁保持手段に対する第１の折丁開放部の開放機能を停止させる。これによって、折丁の枚数が複数となった場合でも、複数の排紙経路を使用できるので、排紙経路に折丁が排紙された後の処理に余裕が生まれる。その結果、排紙後の処理に用いる装置の負担が軽減され、これらの装置の耐久性低下を抑制できる。
【００６９】
また、本実施形態では、減速胴である折丁振り分け手段に設けた第１の折丁保持手段及び第２の折丁保持手段の開閉を制御することにより、折丁の枚数が複数となった場合には、複数の排紙経路に排紙する。これによって、複数の排紙経路へ折丁を振り分けて排紙する場合でも、減速胴は単一で済むので、高い受け渡し精度が要求されるくわえ胴と減速胴との間の受け渡しは１箇所で済む。その結果、高い受け渡し精度が要求される箇所を低減して、調整の手間を軽減できる。また、高価な減速胴の本数を低減できるので、折機の製造コストを低減できる。
【００７０】
また、くわえ胴と減速胴との間の受け渡しは不安定になりやすいが、本実施形態においては、このような不安定な受け渡しをする箇所を１箇所に低減することができるので、折丁を安定して複数の排紙経路へ振り分けることができる。さらに、本実施形態では、複数の排紙経路へ折丁を振り分けるための機構を組み込むことができるので、排紙経路へ折丁を排紙する際の精度を向上させることができる。これによって、排紙経路における作業（例えばチョッパ折）の精度が向上する。
【産業上の利用可能性】
【００７１】
以上のように、本発明に係る折丁搬送経路切替構造及び折機は、折機で折られた折丁の排出先を切り替えることに有用であり、特に、折丁を受け渡しする際に高い受け渡し精度が要求される箇所を低減することに適している。
【図面の簡単な説明】
【００７２】
【図１−１】本実施形態に係る折機の構成を示す模式図である。
【図１−２】折丁の重ね枚数を説明する模式図である。
【図２】減速胴への折丁クランプの配置を示す説明図である。
【図３−１】本実施形態に係る折機が備える折丁保持手段の構成を示す説明図である。
【図３−２】本実施形態に係る折機が備える折丁保持手段の構成を示す説明図である。
【図４】第１及び第２折丁クランプ装置の構成を示す概略図である。
【図５−１】本実施形態に係る折機が備える折丁振り分け機構の動作を示す動作説明図である。
【図５−２】本実施形態に係る折機が備える折丁振り分け機構の動作を示す動作説明図である。
【図５−３】本実施形態に係る折機が備える折丁振り分け機構の動作を示す動作説明図である。
【図６−１】本実施形態に係る折機が備える折丁振り分けガイドの動作を示す説明図である。
【図６−２】本実施形態に係る折機が備える折丁振り分けガイドの動作を示す説明図である。
【図６−３】本実施形態に係る折機が備える折丁振り分けガイドの構成を示す説明図である。
【図７】本実施形態に係る折機が備える折丁振り分けガイドの変形例の動作を示す説明図である。
【符号の説明】
【００７３】
１  折機
２  折胴
３  鋸胴
４  くわえ胴
５  減速胴
５Ｎ  折丁くわえ爪
６  案内胴
７Ｊ  第１の排紙経路
７Ｋ  第２の排紙経路
１１  折丁振り分けガイド
１１Ｓ  折丁振り分けガイド支持軸
１３  カムフォロワ
１３Ｘ  第１カムフォロワ
１３Ｙ  第２カムフォロワ
１４  腕
２０Ａ  第１折丁クランプ装置
２０Ｂ  第２折丁クランプ装置
２０Ｃ  第３折丁クランプ装置
２０Ｄ  第４折丁クランプ装置
２１  シャフト
２２  カムフォロワ
２２  クランク
２３Ｘ  第１カムフォロワ
２３Ｙ  第２カムフォロワ
２４Ｘ  第１カム
２４Ｙ  第２カム
２４  折丁振り分け機構
２４Ｘ１  第１動作部
２４Ｘ２  第２動作部
２４Ｘ３  第３動作部
２５Ｘ  第３カム
２５Ｘ１  第１動作部
２５Ｘ２  第２動作部
３０  第１回転カム
３０＿１  第１動作部
３０＿２  第２動作部
３０＿３  第３動作部
３０＿４  第４動作部
３１  第２回転カム
３２  回転カム
３２＿１  第１動作部
３２＿２  第２動作部
４０  印刷機
【図１−１】
2008120489.tif 000003
【図１−２】
2008120489.tif 000004
【図２】
2008120489.tif 000005
【図３−１】
2008120489.tif 000006
【図３−２】
2008120489.tif 000007
【図４】
2008120489.tif 000008
【図５−１】
2008120489.tif 000009
【図５−２】
2008120489.tif 000010
【図５−３】
2008120489.tif 000011
【図６−１】
2008120489.tif 000012
【図６−２】
2008120489.tif 000013
【図６−３】
2008120489.tif 000014
【図７】
2008120489.tif 000015